(57)【要約】      （修正有）【課題】設定圧力に対して機械スイッチが確実に動作するように作動金具を微調整できるようにするとともに、微調整する手段をユーザ等が不用意に操作するのを防止する圧力応動スイッチを提供する。【解決手段】補強板２に継手ユニット１と作動部４を組み込み、この組込みアッセンブリ１０を支持ケース３に固定する。作動部４の作動金具４１にマイクロ作動位置調整ネジ４２を取り付ける。マイクロ作動位置調整ネジ４２を作動レバー４１ｂ側から雌ねじ部４１ｃにねじ込む。マイクロ作動位置調整ネジ４２の締め具合により、基板４１ａに対する作動レバー４１ｂの角度を微調整する。マイクロ作動位置調整ネジ４２のネジ頭を、脊板３２の固定用ボス３２ｂの内側の調整ネジ孔３２ｃの位置とする。【選択図】図１
0003171859.tif 000002
【実用新案登録請求の範囲】
【請求項１】
検知対象圧力を導入するベローズに連動して回動する作動金具と、該作動金具によりオン／オフする機械スイッチとを備えた圧力応動スイッチにおいて、
前記作動金具は、前記ベローズの端部に当接される基板と、該基板の一方の端部から延設された作動レバーと、基板の他方の端部から立ち上げられた雌ねじ部とを有し、前記作動レバーが前記機械スイッチを作動させるよう構成され、前記作動レバーから前記雌ねじ部にねじ込まれたマイクロ作動位置調整ネジにより前記基板に対する前記作動レバーの角度を微調整するよう構成され、
前記マイクロ作動位置調整ネジのネジ頭を、当該圧力応動スイッチを固定するための装置固定部が形成された支持ケースの脊板側に設けるようにしたことを特徴とする圧力応動スイッチ。
【考案の詳細な説明】
【技術分野】
【０００１】
本考案は、冷凍、空調用装置等における冷凍サイクルの冷媒圧縮機等を起動もしくは停止をさせる圧力応動スイッチに関し、詳細には、冷凍サイクルを流れる冷媒もしくは感温筒の冷媒の圧力に応じて変形するベローズ体を有し、該ベローズ体に連動するリンク機構によりスイッチをオン／オフする圧力応動スイッチに関する。
【背景技術】
【０００２】
従来、この種の圧力応動スイッチとして、例えば特開平９−３２５０４７号公報（特許文献１）に開示されたものがある。この圧力応動スイッチは、ベローズと、作動圧力調整ばね（６）と、作動板（７）と、接点機構（８）とレバー機構（９）とを備えたものである。そして、ベローズの動きにより作動圧力調整ばねのばね力に抗して作動板が作動し、この作動板の作動に連動して、レバー機構により接点機構を開閉制御する。
【先行技術文献】
【特許文献】
【０００３】
【特許文献１】特開平９−３２５０４７号公報
【考案の概要】
【考案が解決しようとする課題】
【０００４】
特許文献１の従来の圧力応動スイッチでは、例えば機械スイッチ等の接点機構に対して、作動板とレバー機構等のリンク機構の作動位置にバラツキが生じていると、設定圧力に対して正確に動作することが困難である。このため、作動板とレバー機構の作動位置を微調整する手段を設けると、正しく動作する圧力応動スイッチが得られる。
【０００５】
しかしながら、このような微調整は出荷前やメンテナンス時に行うものであり、この微調整する手段を出荷後にユーザ等が不用意に操作すると、圧力応動スイッチが正しく動作しなくなってしまう。
【０００６】
本考案は、圧力応動スイッチにおいて、設定圧力に対して機械スイッチが確実に動作するようにリンク機構である作動金具の作動レバーの角度を微調整できるよう構成するとともに、この微調整する手段をユーザ等が不用意に操作するのを防止できるようにすることを課題とする。
【課題を解決するための手段】
【０００７】
請求項１の圧力応動スイッチは、検知対象圧力を導入するベローズに連動して回動する作動金具と、該作動金具によりオン／オフする機械スイッチとを備えた圧力応動スイッチにおいて、前記作動金具は、前記ベローズの端部に当接される基板と、該基板の一方の端部から延設された作動レバーと、基板の他方の端部から立ち上げられた雌ねじ部とを有し、前記作動レバーが前記機械スイッチを作動させるよう構成され、前記作動レバーから前記雌ねじ部にねじ込まれたマイクロ作動位置調整ネジにより前記基板に対する前記作動レバーの角度を微調整するよう構成され、前記マイクロ作動位置調整ネジのネジ頭を、支持ケースの脊板に形成された調整ネジ孔に臨ませるようにしたことを特徴とする。
【考案の効果】
【０００８】
請求項１の圧力応動スイッチによれば、マイクロ作動位置調整ネジにより基板に対する前記作動レバーの角度を微調整して機械スイッチと作動金具の取り付け位置等のバラツキを吸収して、設定圧力に対して正確に動作させることができ、かつ、マイクロ作動位置調整ネジのネジ頭が支持ケースの脊板の調整ネジ孔の位置となるので、このマイクロ作動位置調整ネジをユーザ等が不用意に操作するのを防止することができる。
【図面の簡単な説明】
【０００９】
【図１】本考案の実施形態の圧力応動スイッチの継手ユニットと作動部を補強板に組み込んだ組込みアッセンブリを支持ケースに取り付ける前の外観斜視図である。
【図２】本考案の実施形態の圧力応動スイッチの組込みアッセンブリを支持ケースに固定した取り付け状態の外観斜視図である。
【図３】本考案の実施形態の継手ユニットと作動部を補強板に組み込んだ組込みアッセンブリ及びマイクロスイッチの側面図である。
【図４】本考案の実施形態の継手ユニットと作動部を補強板に組み込んだ組込みアッセンブリの斜視図である。
【図５】本考案の実施形態における継手ユニットと補強板の斜視図である。
【図６】本考案の実施形態の圧力応動スイッチの上面図、正面図、底面図、及び外カバーを外した状態の正面図である。
【図７】本考案の実施形態の温度スイッチを構成する圧力応動スイッチの上面図、正面図、底面図、及び外カバーを外した状態の正面図である。
【考案を実施するための形態】
【００１０】
次に、本考案の圧力応動スイッチの実施形態を図面を参照して説明する。図１は本考案の実施形態の組込みアッセンブリを支持ケースに取り付ける前の外観斜視図、図２は組込みアッセンブリを支持ケースに固定した取り付け状態の外観斜視図である。図３は継手ユニットと作動部を補強板に組み込んだ組込みアッセンブリ及びマイクロスイッチの側面図、図４は継手ユニットと作動部を補強板に組み込んだ組込みアッセンブリの斜視図、図５は継手ユニットと補強板の斜視図、図６は実施形態の圧力応動スイッチの上面図、正面図、底面図、及び外カバーを外した状態の正面図である。
【００１１】
図において、１は継手ユニット、２は補強板、３は支持ケース、４は作動部、５は機械スイッチとしてのマイクロスイッチ、６は外カバーである。また、１０は補強板２に対して継手ユニット１と作動部４を組み込んだ組込みアッセンブリである。
【００１２】
図５に示すように、継手ユニット１は、黄銅製の継手１１にベローズ１２を半田付け、ろう付け、溶接等の各種接合方法により接合したものである。継手１１は、切削加工により形成され、ベローズ１２を接合する円柱状の接合部１１１と、六角柱として形成した六角部１１２と、外周に雄ねじ１１３ａが形成されたフレアー継手部１１３とで構成されている。そして、六角部１１２の両側において接合部１１１に近い側に２つのスリット部１１２ａが形成されている。なお、フレアー継手部１１３には図示しない配管（流体導入管）を接続するためのフレアーナットが取り付けられる。
【００１３】
また、補強板２は、金属板の打ち抜き及び曲げ加工により形成され、底板２１、２つの側板２２、天板２３及び前板２４を有している。底板２１には、継手ユニット１の継手１１（六角部１１２）を挿通するための挿通孔２１ａが形成されている。この挿通孔２１ａは、六角部１１２の六角柱に整合するような六角形の孔である。各側板２２と天板２３において、前板２４とは反対側の端部には、それぞれ２箇所に固定用爪２２ａ，２３ａが形成されている。また、天板２３には、レンジ調整ネジ孔２３ｂと入切圧力差調整ねじ孔２３ｃが形成されている。前板２４には、作動範囲規制孔２４ａ、レンジ表示窓２４ｂ及び差圧表示窓２４ｃが形成されている。
【００１４】
継手ユニット１は、その六角部１１２を底板２１の挿通孔２１ａに嵌合され、図４のように補強板２に組み付けられる。また、図３及び図４に示すように、補強板２には、継手ユニット１のベローズ１２側に作動部４が組み付けられる。これにより、組込みアッセンブリ１０が構成される。作動部４は、作動金具４１と、マイクロ作動位置調整ネジ４２と、作動圧力調整ばね４３と、当金４４と、レンジ調整ネジ４５を有している。作動圧力調整ばね４３は、作動金具４１と当金４４との間に配設され、レンジ調整ネジ４５のねじ込み量を調整することにより、作動圧力調整ばね４３がベローズ１２に与えるばね力が調整される。なお、図示は省略するが、入切圧力差調整ねじにより入切圧力差が設定される。
【００１５】
作動金具４１は、金属板の打ち抜き及び曲げ加工により形成され、ベローズ１２の頂部に当接される基板４１ａと、基板４１ａの一方の端部から基板４１ａに対して略直角に延設された作動レバー４１ｂと、基板４１ａの他方の端部から立ち上げられた雌ねじ部４１ｃとを有している。そして、作動金具４１は補強板２の側板２２，２２の間で軸４１ｄにより軸支され、作動金具４１は補強板２に対して回動可能となっている。これにより、作動レバー４１ｂがマイクロスイッチ５の感知レバー５ａを作動させて、マイクロスイッチ５がオン／オフする。なお、基板４１ａの端部に形成された規制板４１ｅ（図３参照）が補強板２の作動範囲規制孔２４ａに挿通され、これにより、作動金具４１の回動範囲が規制される。
【００１６】
また、マイクロ作動位置調整ネジ４２は、作動レバー４１ｂを貫通し、作動レバー４１ｂの基板４１ａに対する弾性力に抗して、雌ねじ部４１ｃの図示しない雌ねじにねじ込まれている。したがって、マイクロ作動位置調整ネジ４２の締め具合により、基板４１ａに対する作動レバー４１ｂの角度を微調整することができる。これにより、設定圧力に対してマイクロスイッチ５（感知レバー５ａ）が確実に動作するように、作動レバー４１ｂの角度を微調整し、組み付け誤差等による動作のバラツキを無くすことができる。
【００１７】
以上の構成により、作動部４は以下のように動作する。ベローズ１２の動きにより、作動金具４１が作動圧力調整ばね４３のばね力に抗して回動し、この作動金具４１の作動レバー４１ｂに連動して、マイクロスイッチ５がオン／オフする。なお、マイクロスイッチ５には、制御線（図示せず）を接続する端子５１（図６、図７参照）が設けられている。
【００１８】
図１に示すように、支持ケース３は、金属板の打ち抜き及び曲げ加工により形成され、底板３１、脊板３２及び天板３３を有している。底板３１には、継手ユニット１の継手１１（六角部１１２）を挿通するための円形の挿通孔３１ａが形成されるとともに、この挿通孔３１ａから延びる矩形の切り欠き部３１ｂが形成されている。この切り欠き部３１ｂの両側の部分はスリット圧入部３１ｃ，３１ｃとして設けられている。スリット圧入部３１ｃ，３１ｃの対向間隔は、継手１の２つのスリット部１１２ａ，１１２ａの間隔に整合する寸法であり、継手１のスリット部１１２ａ，１１２ａに対してスリット圧入部３１ｃ，３１ｃを圧入可能となっている。なお、底板３１にはマイクロスイッチ５に接続されるリード線を引き出すリード線引き出し孔３１ｄが形成されている。
【００１９】
支持ケース３の脊板３２には、補強板２の６つの固定用爪２２ａ，２３ａをそれぞれ嵌め込むための６つの固定用孔３２ａが形成されている。また、脊板３２には、当該圧力応動スイッチを冷凍装置等に固定するための「装置固定部」としての固定用ボス３２ｂが形成されている。さらに、この固定用ボス３２ｂよりも内側にマイクロ作動位置調整ネジ４２を臨ませる調整ネジ孔３２ｃが形成されている。
【００２０】
組込みアッセンブリ１０を支持ケース３に組み付けるには、以下のようにする。まず、図１のように補強板２の固定用爪２２ａ，２３ａを支持ケース３の脊板３２側に向け、支持ケース３の底板３１の挿通孔３１ａ内に継手１１の六角部１１２を挿入する。組込みアッセンブリ１０を脊板３２側に移動し、スリット部１１２ａ内にスリット圧入部３１ｃを圧入する。このとき、固定用爪２２ａ，２３ａを脊板３２の固定用孔３２ａ内に嵌め込む。そして、図２に示すように固定用爪２２ａ，２３ａを折り曲げて、補強板２自体を支持ケース３に固定する。また、継手１１の六角部１１２の六角柱の角Ａの部分を支持ケース３側にかしめる。
【００２１】
以上のように組み付けると、スリット部１１２ａに圧入固定された支持ケース３の底板３１と、継手１１の接合部１１１の下端面とにより、補強板２の底板２１が挟持された状態となる。また、補強板２の六角形の挿通孔２１ａに継手１１の六角部１１２が嵌合されるので、補強板２に対して継手ユニット１の軸線Ｌ（図２参照）回りの回動が防止される。これにより、組込みアッセンブリ１０が支持ケース３に確実に固定される。
【００２２】
マイクロ作動位置調整ネジ４２のネジ頭は、脊板３２の調整ネジ孔３２ｃの位置になる。すなわち、支持ケース３の脊板３２側に設けられている。脊板３２は固定用ボス３２ｂによって冷凍装置等の取付部に固定されるので、マイクロ作動位置調整ネジ４２は、当該圧力応動スイッチの表側ではなく隠れた位置になる。したがって、ユーザ等がこのマイクロ作動位置調整ネジ４２を不用意に操作するのを防止することができる。
【００２３】
以上の圧力応動スイッチは冷凍サイクルの圧縮機の冷媒等、各種流体の圧力を検出するものであるが、この圧力応動スイッチの構造で、図７に示す温度スイッチを構成することもできる。図７の温度スイッチは、継手１１のフレアー継手部１１３に対して、ホルダ１４により感温筒２０に連通するキャピラリ３０を接続したものである。なお、図６と図７の本体の表示部において、図６では圧力に関する目盛表示となっており、図７は温度に関する目盛表示となっている。
【００２４】
以上の実施形態では、継手ユニット１を一つだけ設けたものであるが、高圧側圧力と低圧側圧力とに対して継手ユニットをそれぞれ設け、前記実施形態の継手ユニット１、補強板２及び支持ケース３と同様な取り付け構造適用することもできる。
【符号の説明】
【００２５】
１      継手ユニット
１１      継手
１２      ベローズ
２      補強板
３      支持ケース
３２      脊板
３２ｂ    固定用ボス（装置固定部）
３２ｃ    調整ネジ孔
４      作動部
４１      作動金具
４１ａ    基板
４１ｂ    作動レバー
４１ｃ    雌ねじ部
４２      マイクロ作動位置調整ネジ
４３      作動圧力調整ばね
４４      当金
４５      レンジ調整ネジ
５      マイクロスイッチ（機械スイッチ）
５ａ    感知レバー
【図１】
0003171859.tif 000003
【図２】
0003171859.tif 000004
【図３】
0003171859.tif 000005
【図４】
0003171859.tif 000006
【図５】
0003171859.tif 000007
【図６】
0003171859.tif 000008
【図７】
0003171859.tif 000009